(57)【特許請求の範囲】
【請求項１】
移動体電話通信システムの方法であって、
前記移動体電話通信システムの標準化サービスが追加されたオペレータ特定サービスの第１セットに対するサポートは、第１電話通信規格に従う移動体加入者へ提供され、
前記オペレータ特定サービスの第１セットに対して要求されたサポートを示す情報が、各移動体加入者に対する、加入者データベースに記憶される少なくとも１つの加入情報フィールドで特定されており、
第２電話通信規格によって提供される機能を有するオペレータ特定サービスの第２セットに対するサポートは、移動体加入者へ提供され、
前記少なくとも１つの加入情報フィールドは、インテリジェントネットワーク能力指標で拡張され、これは、前記第１電話通信規格によって提供される機能とは異なるインテリジェントネットワーク機能が生じることを示し、
前記インテリジェントネットワーク能力指標は、前記オペレータ特定サービスの第２セットに対するサポートを示している
ことを特徴とする方法。
【請求項２】
特定移動体加入者に対する前記インテリジェントネットワーク能力指標に含まれる、前記オペレータ特定サービス群の第２セットの前記インテリジェントネットワーク機能を定義するデータは、前記移動体加入者がローミングしている間に、前記オペレータ特定サービスの第２セットに含まれる少なくとも１つのサービスが該移動体加入者によって要求された場合、前記加入者データベースから公衆領域移動体ネットワークの関連機能構成要素へ転送される
ことを特徴とする請求項１に記載の方法。
【請求項３】
１つ以上の生成サービス群に関連する情報は、前記加入情報フィールド群の１つに含まれる
ことを特徴とする請求項２に記載の方法。
【請求項４】
１つ以上の終了サービス群に関連する情報は、前記加入情報フィールド群の１つに含まれる
ことを特徴とする請求項２あるいは３に記載の方法。
【請求項５】
前記加入情報フィールドは、オペレータ特定サービスの第１セットをサポートする第１トリガ検出点を有するトリガ検出点データのセットを含み、
トリガ検出点データの少なくとも１つの追加セットは、前記加入情報フィールドに含まれ、前記第１トリガ検出点と異なる少なくとも１つの追加検出点を有し、
前記追加検出点は、前記オペレータ特定サービスの第２セットをサポートする
ことを特徴とする請求項１乃至請求項４のいずれか１項に記載の方法。
【請求項６】
前記オペレータ特定サービスの第２セットをサポートするために要求される能力セットは、前記インテリジェントネットワーク能力指標で示される
ことを特徴とする請求項５に記載の方法。
【請求項７】
移動体電話通信システムの加入者データベース装置であって、
前記移動体電話通信システムは、前記移動体電話通信システムの標準化サービスが追加されたオペレータ特定サービスの第１セットを、第１電話通信規格に従う移動体加入者へサポートすることができ、
当該加入者データベース装置は、前記オペレータ特定サービスの第１セットに対する、各移動体加入者に対して特定されている要求されたサポートを示す情報を、少なくとも１つの加入情報フィールドに記憶する手段を備え、
前記移動体電気通信システムは、第２電話通信規格によって提供される機能を有するオペレータ特定サービス群の第２セットのサポートを、移動体加入者へ提供し、
前記少なくとも１つの加入情報フィールドは、インテリジェントネットワーク能力指標で拡張され、これは、前記第１電話通信規格によって提供される前記機能とは異なるインテリジェントネットワーク機能が生じることを示し、
前記インテリジェントネットワーク能力指標は、前記オペレータ特定サービスの第２セットに対するサポートを示している
ことを特徴とする装置。
【発明の詳細な説明】
発明の背景
発明の分野
本発明は、移動体電話通信システムの標準化サービスを追加したオペレータ特定サービスのサポート方法に関するものである。特に、本発明は、第１電話通信規格に従うオペレータ特定サービスを既に提供しているシステムにおいて、第２電話通信規格に従う追加オペレータ特定サービスのサポート方法に関するものである。
また、本発明は、移動体電話通信システムにおいて移動体加入者へサポートさされる標準化サービスを追加したオペレータ特定サービスを通して移動体通信システムの機能構成要素の装置に関するものである。
従来技術の説明
本発明は、新規のＣＡＭＥＬ規格（Customized Applications for Mobilenetwork Enhanced Logic）に基づいており、そのＣＡＭＥＬ規格はＧＳＭ（Global System for Mobile Communication）の一部であり、そのフェーズ２＋規格がＥＴＳＩ（European Telecommunications Standards Institute）のＳＭＧ（Special Mobile Group）ＴＣ（Technical Committee）によって現在規格化中である。ＣＡＭＥＬの主目的は、オペレータ特定サービスをサポートすることであり、たとえ、移動体加入者がＨＰＬＭＮ（Home Public Land Mobile Network）の外でローミングする場合、つまり、要求されるインターネットワーク及び潜在ネットワークを特定する場合でも、オペレータ特定サービスは移動体加入者への標準化ＧＳＭサービスでは扱われない。ＣＡＭＥＬ特性は、補助的なサービスでないばかりか、ネットワークオペレータを支援するネットワーク特性である。しかしながら、このことは、イントラネットワーク処理にＣＡＭＥＬを使用することを可能にし、かつ、ＩＮ（Intelligent Network）ベース化サービスの使用におけるＨＬＲ（Home Location Register）、ＭＳＣ／ＶＬＲ（Mobile services Switching Centre／Visitor Location Register）及びＧＭＳＣ（Gateway MSC）によってサポートされるＣＡＭＥＬ特性の一部を使用することであり、ＩＮベース化サービスはＭＳＣあるいはＧＭＳＣと相互作用するＳＳＦ（Service Switching Function）において、移動体電話通信システム内の複数のスタンドアローンＳＳＰ（Service Switching Point）及びサービスノードへのルーティングに対しトリガされる。
以下の定義リストは、本発明の開示で明らかにされるＣＡＭＥＬ規格を構成する。
ｇｓｍＳＳＦ（GSM Service Switching Function）
ｇｓｍＳＳＦは、ＭＳＣ／ＧＭＳＣとｇｓｍＳＣＦを接続する機能構成要素である。ｇｓｍＳＳＦの概念は、上述のＳＳＦから導かれるが、移動体ネットワーク特性のために異なるトリガ機構を使用する。今日のｇｓｍＳＳＦでは、まだかなりのＩＮサービスをＳＳＦとしてサポートしていない。
ｇｓｍＳＣＦ（GSM Service Control Function）
ｇｓｍＳＣＦは、ｇｓｍＳＳＦとＨＬＲを接続するＯＳＳ（Operator Specific Service）を実行するＣＡＭＥＬサービスロジックを含む機能構成要素である。
ｇｓｍＳＳＦ  Ａｄｄｒｅｓｓ
ｇｓｍＳＣＦ  Ａｄｄｒｅｓｓは、特定加入者に対しｇｓｍＳＣＦをアクセスするために使用されるアドレスである。ｇｓｍＳＣＦ  Ａｄｄｒｅｓｓは、１５桁数以上のＥ１６４である。
ＢＣＳＭ（Basic Call State Model）
ＢＳＣＭは、移動体加入者の通信経路を確立し保持するために要求されるＧＭＳＣ−あるいはＭＳＣ／ＶＬＲ−機能の高レベルモデルを提供する。このような提供は、ＧＭＳＣあるいはＭＳＣ／ＶＬＲ内のベーシックコール機能のセットを識別し、これらの機能がどのようにしてベーシックコールを処理するために加えられるかを示している。
ＤＰ（Detection Point）
ＤＰは、ｇｓｍＳＣＦが可能な制御を発生し伝達できるサービスロジックへの通知での処理点である。
Ｏ−ＢＣＳＭ（Originating Basic Call State Model）
Ｏ−ＢＣＳＭは、ＢＳＣＭの前段の生成部分であり、つまり、生成群に関連するＢＣＳＭの一部である。
Ｔ−ＢＣＳＭ（Terminating Basic Call State Model）
Ｔ−ＢＳＣＭは、ＢＣＳＭの後段の終了部分であり、つまり、終了群と関連するＢＣＳＭの一部である。
Ｏ−ＣＳＩ（Originating CAMEL Subscription Information）
Ｏ−ＣＳＩは、生成ＣＡＭＥＬサービスを有する加入者を識別する。
Ｔ−ＣＳＩ（Terminating CAMEL Subscription Information）
Ｔ−ＣＳＩは、終了ＣＡＭＥＬサービスを有する加入者を識別する。
図１は、周知の処理に従ってｇｓｍＳＣＦ１１０が、ＤＰ１−ＤＰｎのＤＰ群及びｇｓｍＳＳＦ１４０を介してどのようにＯ−ＢＳＣＭ１２０、例えば、ＭＳＣと相互作用するか、また、ＤＰ１２−ＤＰｍのＤＰ群及びｇｓｍＳＳＦ１５０を介してＴ−ＢＳＣＭと相互作用するかを示している。特定検出点ＤＰ２、ＤＰｎ、ＤＰ１２、ＤＰｍは、いわゆる、ＴＤＰ（Trigger Detection Point）群であり、ＯＳＳのトリガ動作が発生するコール処理内の点を構成する。ＴＤＰのセットは、そのような点の集合であり、ＯＳＳの任意のセットに対応する。ＣＡＭＥＬ規格（ＣＡＭＥＬ  ｐｈ１）の現在のバージョンでは、Ｏ−ＳＣＩに対しＤＰ２が使用され、Ｔ−ＣＳＩに対しＤＰ１２が使用される。ｇｓｍＳＣＦ１１０とｇｓｍＳＳＦ１４０、１５０間の通信は、ＣＡＰ（CAMEL Application Part）プロトコルに従って実行され、ＣＡＰプロトコルは、基本的には、ＩＮＡＰ（Intelligent Network Application Part）プロトコルのサブセットである。
ＰＩＣ（Point In Call）
ＰＩＣは、ＭＳＣ／ＶＬＲ機能あるいはＧＭＳＣ機能を識別し、ＯＳＳサービスロジックインスタンスの１つ以上のベーシックコール／コネクションステータスに関連する。
Ｌｏｃａｔｉｏｎ  Ｉｎｆｏｒｍａｔｉｏｎ
Ｌｏｃａｔｉｏｎ  Ｉｎｆｏｒｍａｔｉｏｎは、提供される移動体加入者の位置を示す。Ｌｏｃａｔｉｏｎ  Ｉｎｆｏｒｍａｔｉｏｎの提供は、移動局ステータスとは独立している。Ｌｏｃａｔｉｏｎ  Ｉｎｆｏｒｍａｔｉｏｎの一部として、時間指示情報が配信される。
Ｓｅｒｖｉｃｅ  Ｋｅｙ
Ｓｅｒｖｉｃｅ  Ｋｅｙは、特定移動体加入者に適用すべきサービスロジックをｇｓｍＳＣＦに識別させる。Ｓｅｒｖｉｃｅ  Ｋｅｙは、ＨＰＬＭＮによって管理され、ＶＰＬＭＮ／ＩＰＬＭＮ（Visiting PLMN /Interrogating PLMN）によって透過的に注目ＰＬＭＮ加入者のｇｓｍＳＣＦへ通過させられる。Ｓｅｒｖｉｃｅ  Ｋｅｙは、Ｏ／Ｔ−ＣＳＩの一部である。
Ｓｕｂｓｃｒｉｂｅｒ  Ｓｔａｔｅ
Ｓｕｂｓｃｒｉｂｅｒ  Ｓｔａｔｅは、ある加入者に関連する移動局の状態を示す。可能な状態は、（１）ＣＡＭＥＬ  Ｂｕｓｙは、移動体生成あるいは終了回路切替コールに対するトランザクション上で移動局が結合されることを意味し、（２）Ｎｅｔｗｏｒｋ  Ｄｅｔｅｒｍｉｎｅｄ  Ｎｏｔ  Ｒｅｃｈａｂｌｅは、通信ネットワークがネットワーク内の内部データから移動局が到達可能でないかを判定できることを意味し、Ａｓｓｕｍｅｄ  Ｉｄｌｅは、移動局がＣＡＭＥＬ  ＢｕｓｙあるいはＮｅｔｗｏｒｋ  Ｄｅｔｅｒｍｉｎｅｄ  Ｎｏｔ  Ｒｅｃｈａｂｌｅのどちらでもないことに対応する。
Ｄｅｆａｕｌｔ  Ｃａｌｌ  Ｈａｎｄｌｉｎｇ
Ｄｅｆａｕｌｔ  Ｃａｌｌ  Ｈａｎｄｌｉｎｇは、ｇｓｍＳＳＦとｇｓｍＳＣＦとの対話においてエラーがある場合の要求に応じて、コールが解放されるか継続されるかを示す。
１９９７年３月のＧＳＭ  技術文献  ０３．７８、ＥＴＳＩ  ＴＣ−ＳＭＧ、「デジタルセルラー式電話通信システム（フェーズ２＋）、移動体ネットワーク拡張化ロジックのカスタマイズ化アプリケーション」は、ＨＬＲ、ｇｓｍＳＣＦ、ｇｓｍＳＳＦ、ＧＭＳＣ、ＶＬＲ、ＭＳＣの機能構成要素に対する周知の構成であり、ＣＡＭＥＬ特性をサポートする。また、この構成は、上記機能構成要素間で使用される電話通信プロトコルを定義する。
１９９６年１０月２１−２３日付けのＴＤｏｃ、ＳＭＧ３  ９６Ｃ３２４、ＥＴＳＩ  ＳＴＣ  ＳＭＧ３−ＷＰＣ  Ｃａｍｅｌ  ａｄ−ｈｏｃ、ＤｅＴｅＭｏｂｉｌの「ＣＡＰバージョン」は、２つのＣＡＭＥＬ特定機能構成要素間、つまり、ｇｓｍＳＣＦとｇｓｍＳＳＦ間のデータ転送に使用可能な２つのＣＡＰ−バージョン（ＣＡＭＥＬ  Ａｐｐｌｉｃａｔｉｏｎ  Ｐａｒｔ）を決定する方法が教示されている。提案された解決手段は、ＣＳＩ（ＣＡＭＥＬ  Ｓｕｂｓｃｒｉｐｔｉｏｎ  Ｉｎｆｏｒｍａｔｉｏｎ）で定義されるトリガＤＰに対する情報を含んでいるデータ構造内のパラメータの導入を意味している。また、パラメータは、国際ＩＮＡＰ（Ｉｎｔｅｌｌｉｇｅｎｔ  Ｎｅｔｗｏｒｋ  Ａｐｌｉｃａｔｉｏｎ  Ｐａｒｔ）が使用されているか否かの指示として使用されても良い。
しかしながら、特定移動体加入者のオペレータ特定サービスに対して要求されたサポートを説明するために並列トリガＤＰが適用され、ＣＡＰバージョンが少なくとも２つのトリガＤＰ間で異なる場合、この処理は、実際の衝突を生じる。これ以外に、後者のＣＡＰバージョンの定義は、移動体加入者がローミングしているときのＰＬＭＮでサポートできる以外は、対応するサービスをサポートすることができない。
発明の要約
本発明は、ＧＳＭのような移動体電話通信システムに適用可能である。しかしながら、本発明はＧＳＭに限定されるばかりでなく、オペレータ特定サービスをサポートする任意の通信システムで実行されても良い。本発明は、システムサポート内の移動体加入者に、オペレータ特定サービスのセット、移動体電話通信システムの追加標準化サービスを提供する。オペレータ特定サービスのセットは、ＣＳ１（能力セット１）のような構造化ＩＮ規格によって適合し、等しいあるいはそれ以上の能力を有するＨＰＬＭＮあるいはＶＰＬＭＮでローミングする場合の移動体加入者に提供される。また、本発明に従う方法は、例えば、ＣＡＭＥＬ  ｐｈ１規格のように、異なる電話通信規格を介して、追加オペレータ特定サービスのセットがすでに移動体電話通信システムに提供されていることを含んでいる。
１９９６年１０月２１−２３日付けのＴｄｏｃ  ＳＭＧ３  ９６Ｃ３２４、ＥＴＳＩ  ＳＴＣ  ＳＭＧ３−ＷＰＣ  Ｃａｍｅｌ  ａｄ−ｈｏｃ、ＤｅＴｅＭｏｂｉｌの「Ｃａｐ  Ｖｅｒｓｉｏｎ」で開示される方法に従うオペレータ特定サービス拡張セットは、通信ネットワーク内で解決不可能なプロトコル衝突を生成するかもしれない。また、オペレータ特定サービスの追加セット（群）は、標準化された方法で実現されないので、異なる供給者のネットワーク装置間の内部動作は、目下、達成することが不可能である。それゆえ、例えば、オペレータは、サービスがＨＰＬＭＮの構造化ＩＮ規格（ＣＳ１のような）及びローミング時のＯＳＳ規格（ＣＡＭＥＬ  ｐｈ１のような）に基づいている加入者に対し異なる機構を実現し管理する。
本発明の目的は、移動体電話通信システムの標準化サービスが追加されたオペレータ特定サービスを提供することであり、これによって、プロトコル衝突は生じない。
本発明の他の目的は、移動体電話通信システムの標準化サービスによって何が提供されるかよりもより良いサービス能力がいつ要求されている場合に、移動体電話通信システムの異なる供給者のネットワーク装置間の内部動作を容易にすることである。
本発明の１つの実施形態の方法に従えば、第１電話通信規格によって提供される機能を有するオペレータ特定サービスの第１セットに対する要求されたサポートを示す情報は、移動体電話通信システムの各加入者を特定する。この情報は、１つ以上の加入者情報フィールドに記録され、加入者データベースに記憶される。また、第１電話通信規格と異なる第２電話通信規格によって提供される機能を有するオペレータ特定サービスの第２セットは、等しいあるいはそれ以上の能力を有するＨＰＬＭＮあるいはＶＰＬＭＮでローミングする場合に、移動体加入者をサポートする。これは、オペレータ特定サービスの第２セットで構成されるオペレータ特定サービスの少なくとも１つを要求する各加入者に対するインテリジェントネットワーク能力指標を有する加入者情報フィールドを拡張することによって達成される。インテリジェントネットワーク能力指標は、特定インテリジェントネットワーク能力を生じることを示し、オペレータ特定サービスの第２セットをサポートする。
本発明の１つの実施形態に従う方法は、請求項１の構成要件を説明する特徴によって特徴付けられる。
本発明の方法の実施形態の１つの効果に従えば、オペレータ特定サービスの第２セットのインテリジェントネットワーク機能を定義するデータは、加入者データベースから注目の移動体加入者がローミングしている時のＰＬＭＮへ送信される。このデータは、オペレータ特定サービスの第２セットの１つを移動体加入者が要求する場合にのみ送信される。データは、特定サービスの実行がなされる機能構成要素へ送信される。典型的には、データは、加入者が終了コールを受信する場合にＧＭＳＣへ送信され、加入者が特定ＭＳＣ／ＶＬＲに登録する場合にＶＬＲへ送信される。
本発明の方法の別の実施形態に従えば、トリガ検出点データセットには、少なくとも１つの検出点を構成する加入者情報フィールドが含まれ、オペレータ特定サービスの第２セットをサポートする。
機能構成要素（例えば、ＨＬＲ、ＧＭＳＣ、ＶＬＲ、ＭＳＣ、ＳＣＦ、ＳＳＦ）の提案された構成は、第２電話通信規格によって提供される機能を有する追加オペレータ特定サービスの第２セットを、すでに移動体加入者へオペレータ特定サービスの第１セットを提供している移動体電話通信システムの移動体加入者へサポートする。オペレータ特定サービスの第２セットは、少なくとも移動体電話通信システムの一部分に位置されている間で加入者が利用可能であり、例えば、ＨＰＬＭＮに、加入しているユーザと共にオペレータによって提供される。おそらく、また、オペレータ特定サービスの第２セットは、ＨＰＬＭＮと等しいあるいはそれ以上の能力を有するネットワーク内で加入者がローミングする場合に、加入者が利用可能であり、サービス承認を有しているＨＰＬＭＮオペレータと共にオペレータによって提供される。オペレータ特定サービスの第２セットは、機能構成要素によって実現され、これらの機能構成要素間の通信は、ＣＳ１規格のような構造化ＩＮプロトコルに従って実行される。同様に、もちろん、ＣＳ１規格のあるゆる所有拡張も使用でき、能力セット規格（ＣＳ２、ＣＳ３等）の次バージョンも同様に使用できる。
本発明の装置は、請求項７の構成要件を説明する特徴によって特徴付けられる。
本発明は、移動体電話通信システムの任意のＨＰＬＭＮ部分での移動体加入者へ提案し、オペレータ特定サービス、構造化ＩＮによって提供される機能を有する追加サービスをサポートする。
構造化ＩＮ規格は、移動体電話通信システムの異なる供給者のネットワーク装置間の内部動作を容易にする。ここで、本発明は、異なるＰＬＭＮ間と特定ＰＬＭＮ内の両方の異なる供給者のネットワーク装置を容易に組み合わせる。
【図面の簡単な説明】
図１はｇｓｍＳＣＦのＯ−ＢＳＣＭ及びＴ−ＢＳＣＭ間の相互作用に対する周知の処理を示す図である。
図２は異なる通信規格の機能レベル間の周知の関係を示す図である。
図３はＰＬＭＮに接続される加入者に依存する異なるサービスのセットへローミングし、アクセスを確立できる移動体加入者におけるＰＬＭＮのグループを示す図である。
図４は加入者データベースに記憶された周知の加入者データ構造を示す図である。
図５は本発明に従うＩＮＣＩフィールドで拡張される本質的に周知の生成ＣＡＭＥＬ加入者情報フィールドの構成を示す図である。
図６は本発明に従うＩＮＣＩフィールドで拡張される本質的に周知の終了ＣＡＭＥＬ加入者情報フィールドの構成を示す図である。
図７は本発明に従う方法及び装置を例示する機能構成要素の構造を示す図である。
本発明は、付属の図面を参照するとともに、以下の実施形態によって、その詳細が説明されるであろう。
実施形態の詳細な説明
図２は、異なる電話通信規格の機能レベル間の周知の関係を示している。垂直軸は機能Ｆのレベルを示し、一方、水平軸は時間次元Ｔを示している。移動体電話通信システムの標準化サービスで提供される機能Ｆは、第１グラフＳｔｄｓによって表され、この場合、ＧＳＭ規格によって例示される。第２及び第３グラフＯＳＳは、オペレータ特定サービスの第１セットの機能Ｆを表し、特定の第１電話通信規格の第１ＣＡＭＥＬ  ｐｈ１及び第２ＣＡＭＥＬ  ｐｈ２バージョンによってサポートされる。異なるかついくつかのより高レベルの機能Ｆを有するオペレータ特定サービスの第２セットは、第４グラフＯＳＳ＋で表される。オペレータ特定サービスＯＳＳ＋の第２セットは、第２電話通信規格ＣＳ１による移動体電話通信システムの加入者へ提供され、ここでは、能力セット１（Capability Set l）規格で例示される。また、機能Ｆのより高い範囲では、能力セット規格の次のバージョンＣＳ２によって提供されても良い。これは、第５グラフＯＳＳ＋で示される。
能力セット１（Capability Set 1）規格ＣＳ１は、ＩＴＵ−Ｔ  ＩＮ規格の初期規定である。これは、現在の技術において可能なサービスをサポートすることを意味し、一方で、次世代の能力セット１の発展のための経験基盤を提供する。ＣＳ１は基本的なシグナリング（signaling）機能構成要素群と、ＩＮ化構成ネットワーク内での機能構成要素群間の接続を定義する。アプリケーション及びサービス独立ＩＮＡＰプロトコルは、その接続を定義するために使用される。また、ＣＳ１は、ＩＮサービス群、サービス特性、ＳＩＢ（Service Independent Building block）群のセットを定義する。一般に、サービス特性を有するサービスは、全サービスとして独立して機能できる。ＣＳ１は、サービス特性から１４種類のＳＩＢ群を定義し、それによってサービスが構成される。
異なるＩＴＵ−Ｔ  ＣＳ１  ＩＮＡＰ方式の非情報処理相互運用と、これらの方式を有する装置ベンダ間で継続している不満のために、ＥＴＳＩは、Ｃｏｒｅ  ＩＮＡＰと呼ばれるＣＳ１インタフェースのサブセットを定義している。本実施形態では、ＩＮシステムの情報処理相互運用に対する基本として、広く受け入れられる。Ｃｏｒｅ  ＩＮＡＰは、ＩＮ規格電話通信ネットワークのシグナリング機能構成要素間の標準化インタフェースを定義する。
上述した異なる電話通信規格によって提供されるサービスの機能レベルは、以下のＧＳＭの標準化補助サービスの例が挙げられる。つまり、コール転送（Call Forwarding）（無条件、加入者ビジー、ノーリプライあるいはＭＳ到達不可）、禁止（Barring）（すべての発信コールの、すべての国際発信コールの、ＨＰＬＭＮ国への国際発信コールを除くすべての国際発信コールの、すべての受信コールあるいはＨＰＬＭＮの外でのローミングにおけるすべての受信コールの）、コール保持（Call Hold）及びコール待機（Call Waiting）がある。以下のサービスは、オペレータ特定サービスの一例を構成し、ＣＡＭＥＬ  ｐｈ1規格によってサポートされる。つまり、プライベートナンバリングプラン（Private Numbering Plan）、ショートナンバーダイアリング（Short Number Dialing）、受信コール選別（Incoming Call Screening）、位置従属ルーティング（Location Dependent Routing）とフレキシブルオペレータ判定禁止（Flexible Determined Barring）がある。
構造化ＩＮ規格によってサポートされるサービスは、ＣＳ１あるいはＣＳ１の所有拡張のような、プリペイドサービス（Pre-paid services）、仮想プライベートネットワーク（Virtual Private Network）、パーソナルナンバー（Personal Number）、オンライン請求サービス（On-line Charging Services）、移動体アクセス追跡（Mobile Access hunting）、フレキシブルコール転送（Flexible Call Forwarding）と不正防止機構（Fraud Prevention Mechanisms）で例示される。
移動体加入者ＭＳが、ローミング及び現在の自身が位置するネットワーク内に依存する異なるサービスにアクセスできるＰＬＭＮのＨＰＬＭＮ、ＶＰＬＭＮ１−ＶＰＬＭＮ３のグループが図３に示される。移動体加入者ＭＳは、第１ネットワークＨＰＬＭＮ内に加入している。このネットワーク内では、移動体加入者ＭＳは、サービス機能の最高レベルにアクセスしている。ここでは、オペレータ特定サービスのセットが、ＭＡＰ  ｖ．３規格のような移動体電話通信の構造化規格を介して移動体加入者ＭＳにサポートされている。ローミングネットワークＶＰＬＭＮ２が加入者のＨＰＬＭＮと等しいあるいはそれ以上の能力を有し、かつＨＰＬＭＮオペレータがローミングネットワークＶＰＬＭＮ２内のオペレータのサービス承諾を有している場合、加入者には、自身のホームネットワークＨＰＬＭＮとして同一の機能レベルのサービスが提供される。加入者のホームネットワークＨＰＬＭＮ内の能力よりも低い能力であるＶＰＬＭＮ１、ＶＰＬＭＮ３では、かつ／あるいはネットワークオペレータ間の承諾がない場合、移動体加入者ＭＳは、オペレータ特定サービスだけにアクセスし、例えば、ＣＡＭＥＬ  ｐｈ１規格のようなネットワークＨＰＬＭＮ、ＶＰＬＭＮ１−ＶＰＬＭＮ３のすべてに共通な規格によってサポートされる。
ＧＳＭ規格に従って動作する移動体電話通信システムの加入者データベースＨＬＲ（Home Location Register）に加入者データ４００を与える周知の方法が、図４に示される。移動体電話通信システムの各加入者に対し、特定加入＃ｘを示すデータセットがリストされている。データセット内のフィールドＩＭＳＩは、国際移動体加入者アイデンティティ（International Mobile Subscriber Identity）を示している。別のフィールドＭＳＩＳＤＮ、ＣＡＴとＳＴＡＴは、移動局（Mobile Station）ＩＳＤＮ（Integrated Service Digital Network）の番号、加入者カテゴリ（通常（Ordinary）、プライオリティ（Priority）と共に、公衆電話（Payphone）あるいはテスト電話（Test Phone））と、オペレータによってコール（Calls）が禁止（Barred）であるかあるいはサービス（Service）がそれぞれ授与（Granted）される場合であるかを記憶している。２つのフィールドＯ−ＳＣＩとＴ−ＳＣＩは、それぞれＣＡＭＥＬサービスの生成及び終了を有する加入＃ｘを識別するＣＡＭＥＬ特定情報要素を含んでいる。最後のフィールドＶＬＲ  ＩＤは、番号＃ｘに関連する加入者に対する現在のＶＬＲを識別する位置データが記録されている。
図５は、本発明に従うＣＡＭＥＬ加入情報フィールドＯ−ＳＣＩを生成する構成を示している。Ｏ−ＢＳＣＭ  ＣＡＭＥＬ  ＴＤＰデータ５１０の第１セットは、ＯＳＳのコールトリガ動作が発生しても良い状況における第１検出点ＤＰ２を示す生成基本コール状態モデルトリガ検出点Ｏ−ｂｓｃｍ  ＴＤＰを有する。また、リスト５１０は、ローミング時の加入者に対して適用すべきサービスロジックのｇｓｍＳＣＦへの識別Ｓｅｒｖｉｃｅ  Ｋｅｙ、加入者に対するＳＣＦへアクセスするために使用されるアドレスＳＣＦ  Ａｄｄｒｅｓｓ、ｇｓｍＳＳＦとｇｓｍＳＣＦ間の対話でのエラーの場合の解放あるいは継続のいずれか一方に対するパラメータＤｅｆａｕｌｔ  Ｃａｌｌ  Ｈａｎｄｌｉｎｇを有している。
Ｏ−ＢＳＣＭ  ＣＡＭＥＬ  ＴＤＰデータ５２０の第２セットは、ＯＳＳのコールトリガ動作が発生しても良い状況における第２検出点ＤＰ３と、Ｓｅｒｖｉｃｅ  Ｋｅｙの第２セット、ＳＣＦ  Ａｄｄｒｅｓｓ  Ｄｅｆａｕｌｔ  Ｃａｌｌ  Ｈａｎｄｉｌｉｎｇのそれぞれを有する。Ｏ−ＢＳＣＭ  ＣＡＭＥＬ  ＴＤＰデータ５３０の任意数の追加セットは、少なくとも１つのトリガ検出点ＤＰｎ、Ｓｅｒｖｉｃｅ  Ｋｅｙ、ＳＣＦ  Ａｄｄｒｅｓｓ、Ｄｅｆａｕｌｔ  Ｃａｌｌ  Ｈａｎｄｉｌｉｎｇ情報を有する各セットを含んでも良い。
生成ＣＡＭＥＬ加入情報フィールドＯ−ＣＳＩは、インテリジェントネットワーク能力指標ＩＮＣＩを有するフィールド５４０で拡張される。インテリジェントネットワーク能力指標ＩＮＣＩは、ＩＮサービストリガを導出するために使用される。一方で、ＩＮサービストリガは、（Ｇ）ＭＳＣ内に統合されたＳＳＦを呼び出すために使用され、ＳＳＦ内でコールに対するトリガデータの適正なセットを示す。そして、オペレータ特定サービスの追加セットをサポートするために必要な能力セットは、インテリジェントネットワーク能力指標ＩＮＣＩ内で示される。
図６は、本発明に従うＣＡＭＥＬ加入情報フィールドＴ−ＳＣＩを終了する対応構成を示している。Ｔ−ＢＳＣＭ  ＣＡＭＥＬ  ＴＤＰデータ６１０の第１セットは、第１検出点ＤＰ１２を示す終了基本コール状態モデルトリガ検出点Ｔ−ｂｃｓｍ  ＴＤＰを有している。また、リスト６１０は、ローミング時の加入者に対して適用すべきサービスロジックのｇｓｍＳＣＦへの識別Ｓｅｒｖｉｃｅ  Ｋｅｙ、加入者に対するｇｓｍＳＣＦへアクセスするために使用されるアドレスＳＣＦ  Ａｄｄｒｅｓｓ、ｇｓｍＳＳＦとｇｓｍＳＣＦ間の対話でのエラーの場合の解放あるいは継続に対するパラメータＤｅｆａｕｌｔ  Ｃａｌｌ  Ｈａｎｄｌｉｎｇを有する。Ｔ−ＢＳＣＭ  ＣＡＭＥＬ  ＴＤＰデータ６２０の任意数のセットは、少なくとも１つのトリガ検出点ＤＰｍ、Ｓｅｒｖｉｃｅ  Ｋｅｙ、ＳＣＦ  Ａｄｄｒｅｓｓ、Ｄｅｆａｕｌｔ  Ｃａｌｌ  Ｈａｎｄｉｌｉｎｇルーチンを有する各セットを含んでも良い。
また、終了ＣＡＭＥＬ加入情報フィールドＴ−ＣＳＩは、生成ＣＡＭＥＬ加入情報フィールドＯ−ＳＣＩの指標５４０と同一のインテリジェントネットワーク能力指標ＩＮＣＩを有するフィールド６３０で拡張される。
図７は、本発明に従う方法及び装置を例示する機能構成要素ＨＬＲ、ＧＭＳＣ、ＶＬＲ、ＭＳＣ、ＨＰＬＭＮ内に位置するＳＣＦとＳＳＦ、ＩＰＬＭＮとＶＰＬＭＮの構成を示している。
特定移動体加入者ＭＳのＨＰＬＭＮ内のＨＬＲ７００は、加入者ＭＳに対する加入情報Ｏ／Ｔ−ＣＳＩを記憶し、そこで、加入者ＭＳがＣＡＭＥＬサポートを必要であることが示される。加入情報Ｏ／Ｔ−ＣＳＩへの拡張フィールドでは、図５及び図６を参照して説明されたインテリジェントネットワーク能力指標ＩＮＣＩが含まれている。
ＶＰＬＭＮからのＬｏｃａｔｉｏｎ  Ｕｐｄａｔｅである場合あるいはＨＰＬＭＮ内で加入情報Ｏ−ＣＳＩが更新される場合に、加入情報の一部Ｏ−ＣＳＩ７４０は、あるＶＰＬＭＮのＶＬＲ７１０へＩＮＣＩに沿って送信される。そして、加入情報は、加入者ＭＳがＶＬＲ７１０の作業エリアＶＰＬＭＮを解放するまでＶＬＲ７１０に記憶される。移動体生成化コールあるいは転送化コール７７５の場合、ＶＬＲ７１０が加入者ＭＳに対するＯ−ＣＳＩとＩＮＣＩ情報を含むかどうかのチェックが実行される。
ＨＬＲ７００が質疑（interrogating）ネットワークからのルーティング情報に対する要求へ応答する場合に、ＩＮＣＩを含む加入情報Ｏ／Ｔ−ＣＳＩは、ＩＰＬＭＮ内でＨＬＲ７００からＧＭＳＣ７０５へ送信される。移動体加入者ＭＳに対するコールを処理する場合、ＧＭＳＣ７０５は、ＳＳＦ７２５を呼び出すためのＧＭＳＣ７０５を示すＩＮＣＩ７３５を含むＯ／Ｔ−ＣＳＩをＨＬＲ７００から受信しても良い。
また、ＧＭＳＣ７０５は、要求イベント（例えば、コール状態）を監視し、コール処理中にこれらのイベントのＳＳＦ７２５を通知し、これによって、ＳＳＦ７２５にＧＭＳＣ７０５内のコールの実行を制御することを可能にする。
挿入加入者データ（Insert Subscriber Data）と呼ばれる操作のＭＡＰ（Mobile Application Part）プロトコル  ｖ．３（version 3）への拡張として、拡張加入フィールドＯ−ＳＣＩ内に含まれる情報は、位置更新７４０においてＨＬＲ７００からＶＬＲ７１０へ送信される。ＶＰＬＭＮ内の移動体加入者ＭＳからの移動体生成あるいは転送コール７７５において、Ｏ−ＣＳＩ情報がＶＬＲ７１０に記憶されたかどうかがチェックされる。拡張加入フィールドＯ／Ｔ−ＣＳＩ内に含まれる情報は、送信ルーティング情報応答（Sent Routing Info Response）（終了コールハンドリングの一部として）という名の操作のＭＡＰプロトコル  ｖ．３への拡張としてＨＬＲ７００からＧＭＳＣ７０５へ送信される。ＨＬＲ７００内でコール転送サービスが呼び出され、加入者ＭＳが生成ＯＳＳを特定する場合、拡張加入フィールドＯ−ＳＣＩの情報は、ＨＬＲ７００からの転送数と一緒にＧＭＳＣ７０５へ送信される。
【図１】
0004094683.tif 000002
【図２】
0004094683.tif 000003
【図３】
0004094683.tif 000004
【図４】
0004094683.tif 000005
【図５】
0004094683.tif 000006
【図６】
0004094683.tif 000007
【図７】
0004094683.tif 000008